(57)【要約】【課題】  記録ヘッドに対向する平プラテンを、傾かないように確実に支持できる記録装置を提供する。【解決手段】  プラテンギャップローラ４１を有する記録ヘッド１８と、記録ヘッド１８に対向して設けられ、記録ヘッド１８側にばね付勢され、両端部には上ガイドピン２１１及び下ガイドピン２１２が突出するプラテン２１と、上ガイドピン２１１及び下ガイドピン２１２を案内する受け溝４７ａとを備え、プラテン２１上を搬送されるシートに画像を記録するプリンタ１０において、プラテン２１を付勢するばね力と、当該ばね力に抗してプラテンギャップローラ４１からプラテン２１に加わる押圧力とに起因した偶力により、プラテン２１が傾動しないように、プラテン２１の上ガイドピン２１１及び下ガイドピン２１２と受け溝４７ａの側面間に、傾動防止手段を備えた。【選択図】      図８
2006159685.tif 000002
【特許請求の範囲】
【請求項１】
プラテンギャップローラを有する記録ヘッドと、この記録ヘッドに対向して設けられ、当該記録ヘッド側にばね付勢され、両端部にはガイド突起が突出する平プラテンと、この平プラテンの前記ガイド突起を案内する固定部に固定された受け溝とを備え、前記プラテンギャップローラを前記平プラテン上で転動させながら前記記録ヘッドを走査して、前記平プラテン上を搬送されるシートに画像を記録する記録装置において、
前記平プラテンを付勢するばね力と、当該ばね力に抗して前記プラテンギャップローラから前記平プラテンに加わる押圧力とに起因した偶力により、前記平プラテンが傾動しないように、前記平プラテンのガイド突起と前記受け溝の側面間に、傾動防止手段を備えたことを特徴とする記録装置。
【請求項２】
平プラテンの両端部には、高さ位置が異なる複数のガイド突起が突出し、
前記傾動防止手段は、
これら複数のガイド突起のうち、上側のガイド突起を、前記受け溝内において水平方向で前記プラテンギャップローラ側に位置させ、下側のガイド突起を、前記受け溝内において前記プラテンギャップローラから離れた側に位置させることにより構成されていることを特徴とする請求項１記載の記録装置。
【請求項３】
前記受け溝を有した部材は、鉛直方向に対して斜めに延びるように固定され、
前記平プラテンの両端部において、前記複数のガイド突起は、鉛直方向に並ぶように配設されていることを特徴とする請求項２記載の記録装置。
【請求項４】
前記受け溝を有した部材は、鉛直方向に延びるように固定され、
前記平プラテンの両端部において、前記複数のガイド突起のうち、上側のガイド突起が前記プラテンギャップローラ側に寄せて配設され、下側のガイド突起が前記プラテンギャップローラから離れた側に寄せて配設されていることを特徴とする請求項２記載の記録装置。
【請求項５】
プラテンギャップローラを有する記録ヘッドと、この記録ヘッドに対向して設けられ、当該記録ヘッド側にばね付勢され、両端部にはガイド突起が突出する平プラテンと、この平プラテンの前記ガイド突起を案内する固定部に固定された受け溝とを備え、前記プラテンギャップローラを前記平プラテン上で転動させながら前記記録ヘッドを走査して、前記平プラテン上を搬送されるシートに画像を記録する記録装置において、
前記平プラテンを付勢するばね力と、当該ばね力に抗して前記プラテンギャップローラが前記平プラテンを押圧する押圧力とを正対させるように配設したことを特徴とする記録装置。
【発明の詳細な説明】
【技術分野】
【０００１】
本発明は、記録ヘッドに対向する平プラテンを備えた記録装置に関する。
【背景技術】
【０００２】
従来、平プラテンを有する記録装置においては、記録ヘッドと、記録ヘッドに向けて付勢された平プラテンとのギャップを所定の距離に保つため、記録ヘッド側からプラテンに向けて突出するプラテンギャップローラが設けられている（例えば、特許文献１参照）。このプラテンギャップローラの先端が平プラテンに当接することにより、記録ヘッドと平プラテンとのギャップが所定の距離に保たれる。また、プラテンギャップローラは記録ヘッドの走査に伴って平プラテン上を転動し、記録ヘッドの走査中においても、ギャップが所定の距離に保たれるようになっている。
【特許文献１】特開２００３−１５９８５１号公報
【発明の開示】
【発明が解決しようとする課題】
【０００３】
ところで、平プラテンは、記録ヘッドから突出する記録ワイヤの突出力を支持するためのものであるから、平プラテンを付勢するばねは、記録ワイヤに正対する位置に配設される。これに対し、記録ヘッドに設けられるローラは、記録ワイヤが突出する部分の横、あるいは前後に配設される。このため、平プラテンに対しては、ばねによる付勢力と、この付勢力の反力としてのローラによる押圧力とが、異なる位置で加わることにより、偶力が生じ、この偶力によって平プラテンが傾いてしまうことがあった。平プラテンが傾いてしまうと、平プラテンの一部が記録ヘッドに接近してしまい、記録ヘッドと平プラテンとのギャップが適正な距離よりも小さくなってしまう。この場合、記録ワイヤの突出力を確実に支持できない、記録ワイヤと用紙側に配置するリボンが記録済みの箇所に接触する等の不具合を生じ、記録品質の低下を招く恐れがあった。
【０００４】
そこで、本発明の目的は、上述した従来の技術が有する課題を解消し、記録ヘッドに対向する平プラテンを、傾かないように確実に支持できる記録装置を提供することにある。
【課題を解決するための手段】
【０００５】
上記課題を解決するため、本発明は、プラテンギャップローラを有する記録ヘッドと、この記録ヘッドに対向して設けられ、当該記録ヘッド側にばね付勢され、両端部にはガイド突起が突出する平プラテンと、この平プラテンの前記ガイド突起を案内する固定部に固定された受け溝とを備え、前記プラテンギャップローラを前記平プラテン上で転動させながら前記記録ヘッドを走査して、前記平プラテン上を搬送されるシートに画像を記録する記録装置において、前記平プラテンを付勢するばね力と、当該ばね力に抗して前記プラテンギャップローラから前記平プラテンに加わる押圧力とに起因した偶力により、前記平プラテンが傾動しないように、前記平プラテンのガイド突起と前記受け溝の側面間に、傾動防止手段を備えたことを特徴とする。
【０００６】
本発明において、平プラテンの両端部には、高さ位置が異なる複数のガイド突起が突出し、前記傾動防止手段は、これら複数のガイド突起のうち、上側のガイド突起を、前記受け溝内において水平方向で前記プラテンギャップローラ側に位置させ、下側のガイド突起を、前記受け溝内において前記プラテンギャップローラから離れた側に位置させることにより構成されるものとしてもよい。
ここで、前記受け溝を有した部材は、鉛直方向に対して斜めに延びるように固定され、前記平プラテンの両端部において、前記複数のガイド突起は、鉛直方向に並ぶように配設される構成としてもよい。また、前記受け溝を有した部材は、鉛直方向に延びるように固定され、前記平プラテンの両端部において、前記複数のガイド突起のうち、上側のガイド突起が前記プラテンギャップローラ側に寄せて配設され、下側のガイド突起が前記プラテンギャップローラから離れた側に寄せて配設される構成としてもよい。
【０００７】
また、本発明は、プラテンギャップローラを有する記録ヘッドと、この記録ヘッドに対向して設けられ、当該記録ヘッド側にばね付勢され、両端部にはガイド突起が突出する平プラテンと、この平プラテンの前記ガイド突起を案内する固定部に固定された受け溝とを備え、前記プラテンギャップローラを前記平プラテン上で転動させながら前記記録ヘッドを走査して、前記平プラテン上を搬送されるシートに画像を記録する記録装置において、前記平プラテンを付勢するばね力と、当該ばね力に抗して前記プラテンギャップローラが前記平プラテンを押圧する押圧力とを正対させるように配設したことを特徴とする。
【発明を実施するための最良の形態】
【０００８】
以下、図面を参照しつつ本発明の実施形態について説明する。
【０００９】
［１］第１実施形態
図１は、第１実施形態に係る記録装置としてのドットインパクトプリンタの外観を示す正面斜視図である。図２は、プリンタ本体１１を示す斜視図である。図３は、プリンタ本体１１の要部構成を示す斜視図である。図４は、プリンタ１０の側断面図である。
【００１０】
図１〜図４に示す記録装置としてのドットインパクトプリンタ１０は、記録ヘッド１８（図２〜図４参照）が備える記録ワイヤを、インクリボンを介してシート１００に押し付け、このシート１００上にドットを形成することにより、画像（文字を含む）を記録するものである。
【００１１】
シート１００としては、所定長さに切断されたカットシートと、複数枚が連接された連続シートとがある。カットシートとしては、例えば単票紙や単票複写紙などの普通紙の他、通帳や葉書、封筒などがあり、連続シートとしては、連続紙、連続複写紙がある。以下、本第１実施形態では、シート１００が、例えば、通帳である場合について説明する。
シート１００は、複数枚の記録用紙が綴じられて構成され、記録用紙の記録面を開いた場合に底面となる面において、磁気ストライプ１０１が設けられている。
【００１２】
プリンタ１０は、記録装置本体としてのプリンタ本体１１と、このプリンタ本体１１を覆う外装体としての上部カバー１２、上部ハウジング１３及び下部ハウジング１４とを備えて構成される。上部ハウジング１３及び下部ハウジング１４の前面には、手差口１５が開口している。
【００１３】
プリンタ本体１１は、左サイドフレーム１６及び右サイドフレーム１７を備えた本体フレームと、記録ヘッド１８及びキャリッジ１９を備えた記録機構部２０と、記録ヘッド１８に対向するプラテン２１と、第１搬送ローラ２２及び第２搬送ローラ２３を備えた第１シート搬送機構部２４と、第３搬送ローラ２５及び第４搬送ローラ２６を備えた第２シート搬送機構部２７と、シート１００に設けられた磁気ストライプ１０１の磁気情報の読み取り及び書き込みを行う磁気データ読書部２８と、シート１００の搬送経路に進退自在な整列板２９と、磁気情報読み書き時にシート１００の浮き上がりを上から押えるシート押え部３０と、を有している。
【００１４】
上記本体フレームの両サイドフレーム１６、１７間には、キャリッジ軸３１が架け渡されるとともに、両サイドフレーム１６、１７間に平坦面形状の前方シート案内３２及び後方シート案内３３が固定して設けられる。これらの前方シート案内３２と後方シート案内３３との間に、平面形状のプラテン２１が配置される。ここで、プリンタ１０における前方とは、シート１００の搬送路における手差口１５側を指し、後方とは、シート１００の搬送路において手差口１５とは反対の側を指す。なお、プラテン２１の構成については後に詳述する。
【００１５】
上記第１シート搬送機構部２４は、プラテン２１に対してプリンタ本体１１の前方側に配置され、第２シート搬送機構部２７は、プラテン２１に対してプリンタ本体１１の後方側に配置される。更に、第１搬送ローラ２２と第２搬送ローラ２３が、また第３搬送ローラ２５と第４搬送ローラ２６が、それぞれ上下方向に配置されて対をなす。
【００１６】
このうち、第１搬送ローラ２２、第３搬送ローラ２５は、プラテン２１とともに前方シート案内３２、後方シート案内３３のそれぞれの下方に配置され、第２搬送ローラ２３、第４搬送ローラ２６が、前方シート案内３２、後方シート案内３３のそれぞれの上方に配置される。第１搬送ローラ２２及び第３搬送ローラ２５は、シート搬送モータ（図示略）及び駆動輪列部（図示略）によって回転駆動される駆動ローラであり、第２搬送ローラ２３及び第４搬送ローラ２６は、それぞれ第１搬送ローラ２２及び第３搬送ローラ２５側に所定の押圧力でばね付勢されている従動ローラである。これによって、第１搬送ローラ２２と第２搬送ローラ２３とが互いに反対方向に回転駆動されるとともに、第３搬送ローラ２５と第４搬送ローラ２６とが互いに反対方向に回転駆動される。
【００１７】
そして、シート１００は、第１シート搬送機構部２４及び第２シート搬送機構部２７の動作により、次に述べるキャリッジ１９の走査方向に直交する方向に搬送される。
【００１８】
キャリッジ１９は、キャリッジ軸３１に摺動自在に挿通されるとともに、記録ヘッド１８を搭載している。キャリッジ１９は、キャリッジ駆動モータ（図示略）により駆動されるベルト駆動プーリ（図示略）に架け渡されたタイミングベルト（図示略）に結合される。キャリッジ１９は、キャリッジ駆動モータの正転または逆転により、キャリッジ軸３１の軸方向及びプラテン２１の長手方向と一致する主走査方向に、一対のサイドフレーム１６、１７の範囲で走行（走査）される。
【００１９】
図５は、記録ヘッド１８をキャリッジ１９から取り外した状態を示す記録ヘッド１８の斜視図である。
【００２０】
図５に示すように、記録ヘッド１８は、ヘッド本体にノーズ部４２が連設され、ヘッド本体の外側に放熱器４３が配置されて構成される。ノーズ部４２の先端は、多数の記録ワイヤが突出するヘッド先端面１８ａとなっている。これら記録ワイヤ４４の突出方向前方には、インクリボン（図示略）が位置する。このインクリボンは、一対のサイドフレーム１６、１７間に装着されたリボンカートリッジ３９内に折り畳まれて収納される。
【００２１】
記録ヘッド１８は、キャリッジ１９とともに主走査方向に走行される間に、ヘッド先端面１８ａから記録ワイヤ４４を突出させてインクリボンに打ち当て、このインクリボンのインクを、プラテン２１と記録ヘッド１８との間を搬送されるシート１００に付着させて、このシート１００に文字を含む画像を記録する。
【００２２】
ここで、図示は省略するが、記録ヘッド１８は、フレームに形成されたコアに嵌め込まれる電磁コイルを備え、記録ワイヤ４４を駆動する際には、この電磁コイルに通電し、電磁コイルの磁気力によりワイヤレバーを介して記録ワイヤ４４を駆動するものである。つまり、記録ヘッド１８は、電磁コイルへの通電により、記録ワイヤ４４をプラテン２１に向けて突出させるものである。なお、記録ワイヤ４４の突出力は、この電磁コイルへの通電幅によって決まる。つまり、記録ワイヤ４４の突出力は、電磁コイルへの通電幅を大きくするほど、大きくなり、また、通電幅を小さくするほど、小さくなる。
【００２３】
また、記録ヘッド１８には、プラテン２１上を搬送されるシート１００の記録面と、シート１００に対向するヘッド先端面１８ａとの間のギャップを一定に保つため、ヘッド先端面１８ａの側方に、プラテンギャップローラ４１が配設される。
【００２４】
プラテンギャップローラ４１は、記録ヘッド１８とプラテン２１上のシート１００（又はプラテン２１）とのギャップが、所定の距離より小さくならないように、この所定の距離だけヘッド先端面１８ａから延出するものである。プラテンギャップローラ４１がシート１００（又はプラテン２１）に接触することにより、シート１００（又はプラテン２１）とヘッド先端面１８ａとの間のギャップが、所定のギャップに保たれる。
【００２５】
また、プラテンギャップローラ４１は、シート１００の幅方向すなわちキャリッジ軸３１の延長方向に沿って自在に回転可能である。このため、プラテンギャップローラ４１がプラテン２１上のシート１００（又はプラテン２１）に当接したまま、キャリッジ１９を走行（走査）させることが可能である。
【００２６】
図６は、プラテン２１の構成および取付状態を示す要部分解斜視図である。図７は、プラテン２１の取付状態を示す要部拡大斜視図である。図８は、プラテン２１の取付状態を示す要部断面視図である。図９は、図８の要部拡大図である。図８及び図９中に符号Ａで示す仮想線は、ヘッド先端面１８ａの中心を通る鉛直線であり、符号Ｂで示す仮想線は上ガイドピン２１１の軸中心を通る鉛直線であり、符号Ｃで示す仮想線は下ガイドピン２１２の軸中心を通る鉛直線である。
【００２７】
プラテン２１は、キャリッジ１９の走行方向に延在して平面形状に形成された平プラテンであり、プラテン２１の下方に配設されるベースプレート４６に対して、弾性部材としての付勢ばね４０を介して支持される。
【００２８】
詳述すると、プラテン２１は、下方に垂直に突出する２個の付勢ばね軸２１３を備え、付勢ばね軸２１３の外周を巻くように付勢ばね４０が配設される。付勢ばね４０は、圧縮コイルばねである。付勢ばね軸２１３は、プラテン２１の幅方向中央に相当する位置から垂直に下方へ突出する。付勢ばね軸２１３の軸中心と付勢ばね４０の軸中心とは一致しているので、プラテン２１は、その幅方向中央において、付勢ばね４０により付勢される。
【００２９】
付勢ばね４０の下端は、プラテン２１の真下に固定されるベースプレート４６において、ばね留め突起４６ａに固定され、プラテン２１は付勢ばね４０を伸縮させる方向において移動可能である。プラテン２１は、付勢ばね４０の付勢力によって記録ヘッド１８に向けて付勢され、記録ヘッド１８の記録動作時における記録ワイヤの突出力を支持する。
【００３０】
また、プラテン２１には、付勢ばね４０による付勢力に抗して、プラテンギャップローラ４１から押圧力が加わる。プラテン２１に加わる押圧力はシート１００の厚みに応じて変化し、この押圧力に応じて、プラテン２１は、記録ヘッド１８から離れる方向に移動する。これにより、シート１００の厚みに拘わらず、記録ヘッド１８の先端とシート１００の記録面との間のギャップが一定に確保される。
【００３１】
さらに、プラテン２１は、下方に突出する断面十字形の位置決め突起２１４を備える。ベースプレート４６には、位置決め突起２１４の断面形状に対応する十字形の位置決め穴４６ｂが穿設され、この位置決め穴４６ｂに位置決め突起２１４が挿通する。位置決め穴４６ｂは位置決め突起２１４の断面よりわずかに大きく、位置決め穴４６ｂと位置決め突起２１４とによって、プラテン２１の水平方向における位置が規制される。なお、位置決め突起２１４の断面形状および位置決め穴４６ｂの形状は、互いに対応する形状であればよく、例えば丸型にしてもよいし、他の形状としてもよい。
【００３２】
プラテン２１の両端部には、ガイド突起としての上ガイドピン２１１及び下ガイドピン２１２が突出する。また、プラテン２１の両端部に近接した位置には、サイドガイド４７が配設される。４７は、プラテン２１の両端部に対応して２個設けられ、それぞれ、左サイドフレーム１６及び右サイドフレーム１７に、サイドガイド固定部４８を介して固定される。
サイドガイド４７は、鉛直方向に延びる受け溝４７ａを有し、この受け溝４７ａの内側には、プラテン２１の上ガイドピン２１１及び下ガイドピン２１２が収容され、これら上ガイドピン２１１及び下ガイドピン２１２は、受け溝４７ａの底面に接触しない範囲において自在に移動可能である。
【００３３】
上述したように、プラテン２１は、その幅方向中央において、付勢ばね軸２１３に巻回された付勢ばね４０により、記録ヘッド１８に向けて付勢される。これに対し、プラテン２１を押圧するプラテンギャップローラ４１は、ヘッド先端面１８ａの側方に配設される。
このため、プラテン２１には、付勢ばね４０による付勢力と、プラテンギャップローラ４１による押圧力とが異なる位置で加わるため、偶力が生じる。この偶力により、プラテン２１は、プラテンギャップローラ４１から離れた側がヘッド先端面１８ａに接近する方向、すなわち、図８及び図９で時計回りに回転する方向に、傾こうとする。
【００３４】
しかしながら、プラテン２１が有する上ガイドピン２１１及び下ガイドピン２１２が、受け溝４７ａの側面に当接することにより、プラテン２１に生じる偶力に抗するため、プラテン２１は水平を保つ。
詳細に説明すると、プラテン２１の端部において上側に位置する上ガイドピン２１１は、水平方向でプラテンギャップローラ４１側に寄った位置に配設され、下側に位置する下ガイドピン２１２は、プラテンギャップローラ４１から離れた側に寄って配設される。図８及び図９中に符号Ｂで示す上ガイドピン２１１の中心は、プラテン２１の幅方向の中心よりもプラテンギャップローラ４１側に偏っており、符号Ｃで示す下ガイドピン２１２の中心はプラテンギャップローラ４１から離れた側に偏っている。
【００３５】
このため、受け溝４７ａにおいては、上ガイドピン２１１はプラテンギャップローラ４１側の側面に近接し、下ガイドピン２１２が反対側の側面に近接している。
【００３６】
従って、上述した偶力によって、プラテン２１が、図８及び図９中で時計回りの方向に傾こうとした場合、上ガイドピン２１１が受け溝４７ａの一方の側面に押し付けられるとともに、下ガイドピン２１２が受け溝４７ａの他方の側面に押し付けられる。そして、上ガイドピン２１１及び下ガイドピン２１２が、いずれも受け溝４７ａの側面に当接して偶力に抗するので、プラテン２１は、殆ど傾かないうちに静止する。
【００３７】
ところで、上ガイドピン２１１、下ガイドピン２１２及びサイドガイド４７のサイズには製造上の公差があり、この公差により、上ガイドピン２１１及び下ガイドピン２１２が受け溝４７ａにおいてガタつく可能性が考えられる。
しかしながら、本第１実施形態の構成によれば、プラテン２１が傾く範囲は、上ガイドピン２１１から受け溝４７ａの側面までの距離と、下ガイドピン２１２から受け溝４７ａの側面までの距離との和に対応する。このため、上ガイドピン２１１及び下ガイドピン２１２の径と受け溝４７ａの幅との関係は、プラテン２１が傾く範囲には影響しない。従って、本構成によれば、上ガイドピン２１１、下ガイドピン２１２及びサイドガイド４７の公差に拘わらず、プラテン２１を、傾かないように支持できる。
【００３８】
このように、本第１実施形態の構成によれば、記録ヘッド１８のヘッド先端面１８ａに対してプラテン２１が付勢ばね４０によって付勢される一方、ヘッド先端面１８ａの側方からプラテン２１に向けて突出するプラテンギャップローラ４１により、付勢ばね４０の付勢力に抗してプラテン２１を押圧する構成として、プラテン２１の端部に上ガイドピン２１１及び下ガイドピン２１２を設け、受け溝４７ａにおいては、ガイドピンの一方がプラテンギャップローラ４１側に偏った位置にあり、他方がプラテンギャップローラ４１から離れた側に偏った位置にあるものとした。
このため、プラテン２１に対して、付勢ばね４０による付勢力とプラテンギャップローラ４１による押圧力とが異なる位置で加わることに起因して、プラテン２１に偶力が生じた場合に、上ガイドピン２１１及び下ガイドピン２１２が受け溝４７ａの側面に当接し、当該偶力に抗して、プラテン２１を傾かないように支持する。
【００３９】
特に、サイドガイド４７の受け溝４７ａにおいては、上ガイドピン２１１及び下ガイドピン２１２のうち、上側に位置する上ガイドピン２１１が水平方向でプラテンギャップローラ４１側に寄せて配設され、下側に位置する下ガイドピン２１２が、プラテンギャップローラ４１から離れた側に寄せて配設されている。このため、上記偶力によってプラテン２１が傾こうとした場合に、上ガイドピン２１１及び下ガイドピン２１２速やかに受け溝４７ａの側面に当接して、プラテン２１の傾きを確実に阻止する。
【００４０】
従って、本第１実施形態によれば、プラテン２１がほぼ水平な状態を保つことにより、記録ヘッド１８と、プラテン２１上を搬送されるシート１００（又はプラテン２１）とのギャップを、適正な距離以上に保つことができる。このため、記録ワイヤ４４の突出力を確実にプラテン２１によって支持することができ、また、シート１００に記録された画像にヘッド先端面１８ａが再び接触する等の不具合を確実に回避することができ、高い記録品質を得ることができる。
【００４１】
そして、本第１実施形態では、受け溝４７ａがプラテン２１の平面に対して垂直になるようにサイドガイド４７が配設された構成において、上ガイドピン２１１を水平方向でプラテンギャップローラ４１側に偏った位置に配設し、下ガイドピン２１２をプラテンギャップローラ４１から離れた側に偏った位置に配設すれば、容易に実現可能である。
【００４２】
なお、図８及び図９には、ヘッド先端面１８ａの中心（符号Ａ）と、上ガイドピン２１１の中心（符号Ｂ）とが同一直線上に並ぶ構成としたが、本発明はこれに限定されるものではなく、ヘッド先端面１８ａの中心と上ガイドピン２１１の中心とがずれた位置にあってもよい。
【００４３】
［第２実施形態］
次に、本発明を適用した第２実施形態について説明する。
【００４４】
図１０は、第２実施形態に係るドットインパクトプリンタにおけるプラテン２１周辺の構成を示す要部断面視図である。この図１０中に符号Ａで示す仮想線は、ヘッド先端面１８ａの中心を通る鉛直線であり、符号Ｂで示す仮想線は上ガイドピン２１１の軸中心を通る鉛直線であり、符号Ｃで示す仮想線は下ガイドピン２１２の軸中心を通る鉛直線である。なお、本第２実施形態において、上記第１実施形態と同様に構成される各部については、同符号を用いることにより説明を省略する。
【００４５】
図１０に示すように、本第２実施形態におけるプラテン２１の端部に突出する上ガイドピン２１１及び下ガイドピン２１２は、同一の鉛直線に並んでおり、上ガイドピン２１１の中心を通る鉛直線（符号Ｂ）と下ガイドピン２１２の中心を通る鉛直線（符号Ｃ）とは一致する。
【００４６】
これに対し、サイドガイド４７は、受け溝４７ａが鉛直方向に対して斜めに延びるように配設され、受け溝４７ａにおいては、上ガイドピン２１１がプラテンギャップローラ４１側の側面に近接し、下ガイドピン２１２がプラテンギャップローラ４１から離れた側の側面に近接している。
すなわち、本第２実施形態の構成において、上ガイドピン２１１及び下ガイドピン２１２と、受け溝４７ａとの位置関係は、受け溝４７ａが傾いていることを除き、上記第１実施形態と同様である。
【００４７】
上述したように、プラテン２１には、付勢ばね４０による付勢力がプラテン２１の幅方向の中心から加わり、プラテンギャップローラ４１による押圧力が、プラテン２１の幅方向の中心からずれた位置において加わることで、偶力が生じる。
本第２実施形態の構成によれば、プラテン２１に偶力が加わった場合に、上ガイドピン２１１と下ガイドピン２１２とが、速やかに受け溝４７ａの側面に当接して当該偶力に抗するので、プラテン２１は、傾かないように支持される。
【００４８】
このように、本第２実施形態の構成によれば、上ガイドピン２１１及び下ガイドピン２１２が鉛直方向に並べて配設され、受け溝４７ａが斜めに延びるようにサイドガイド４７を配設したので、プラテン２１を、傾かないように支持することができる。
【００４９】
また、本構成においては、上記第１実施形態と同様に、プラテン２１を傾けることが可能な範囲は、上ガイドピン２１１及び下ガイドピン２１２の外径や受け溝４７ａの幅に依存しない。このため、上ガイドピン２１１、下ガイドピン２１２及びサイドガイド４７の公差の影響を殆ど無視することが可能であり、プラテン２１の傾きを確実に阻止できる。
【００５０】
そして、本第２実施形態は、上ガイドピン２１１と下ガイドピン２１２とを同一の鉛直線上に並ぶよう配設した構成において、受け溝４７ａが斜めに延びるようサイドガイド４７を配設するだけで、容易に実現可能である。
【００５１】
なお、図１０には、ヘッド先端面１８ａの中心（符号Ａ）と、上ガイドピン２１１及び下ガイドピンの中心（符号Ｂ、Ｃ）とが同一直線上に並ぶ構成としたが、本発明はこれに限定されるものではなく、ヘッド先端面１８ａの中心と、上ガイドピン２１１及び下ガイドピンの中心とがずれた位置にあってもよい。
【００５２】
［第３実施形態］
次に、本発明を適用した第３実施形態について説明する。
【００５３】
図１１は、第３実施形態に係るドットインパクトプリンタにおけるプラテン２１周辺の構成を示す要部断面視図である。図１２は、図１１の要部拡大図である。図１１及び図１２中に符号Ａで示す仮想線は、ヘッド先端面１８ａの中心を通る鉛直線であり、符号Ｄで示す仮想線は、付勢ばね軸２１３の軸中心を通る鉛直線である。なお、本第３実施形態において、上記第１及び第２実施形態と同様に構成される各部については、同符号を用いることにより説明を省略する。
【００５４】
本第３実施形態におけるプラテン２１は、付勢ばね軸２１３が、プラテンギャップローラ４１の真下に相当する位置において、下方に突出するよう構成されている。
【００５５】
図１２に拡大して示すように、プラテン２１が有する付勢ばね軸２１３の中心（符号Ｄ）は、プラテンギャップローラ４１とプラテン２１とが当接する部分の中心と一致し、プラテン２１の幅方向の中心からずれた位置となっている。また、付勢ばね軸２１３の軸中心と、この付勢ばね軸２１３に巻回される付勢ばね４０の軸中心とは一致している。
【００５６】
本第３実施形態の構成によれば、付勢ばね４０がプラテン２１を付勢する位置と、プラテンギャップローラ４１がプラテン２１を押圧する位置とが、シート１００の搬送方向において同位置となるよう配設したため、付勢ばね４０の付勢力とプラテンギャップローラ４１による押圧力とが正対し、プラテン２１に対する偶力が発生しない。従って、プラテン２１は、傾くことがなく、水平な状態を保つ。
【００５７】
なお、上述した各実施形態は、本発明の実施態様を例示したものであり、本発明の範囲内で任意に変形及び応用可能であることは勿論である。例えば、上記第１及び第２実施形態においては、プラテン２１の端部に上ガイドピン２１１及び下ガイドピン２１２の２個のガイドピンを備える構成としたが、より多くのガイドピンを有する構成としても良い。また、本第１及び第２実施形態では、上ガイドピン２１１及び下ガイドピン２１２が受け溝４７ａに係合する構成としたが、この受け溝は一つの部材により構成されるものに限定されず、複数の部材により受け溝を形成するようにしてもよい。さらに、上記第１〜第３実施形態においては、プラテン２１を記録ヘッド１８に向けて付勢するための部材として付勢ばね４０を用いたが、この部材は圧縮コイルばねに限定されない。さらには、本実施形態では、本体フレームの両サイドフレーム１６、１７は回動可能に構成されているものを一体で構成されているように説明したが、サイドフレームが一枚の板材から構成されていても回動されるように構成されていても本発明の効果が得られるものであり、その他の細部構成についても任意であり、本発明の趣旨を損なうことのない範囲で適宜変更可能である。
【図面の簡単な説明】
【００５８】
【図１】本発明を適用した第１実施形態に係るドットインパクトプリンタの外観を示す正面斜視図である。
【図２】図１のプリンタ本体の構成を示す斜視図である。
【図３】図１のプリンタ本体の要部構成を示す斜視図である。
【図４】図１のプリンタの側断面図である。
【図５】図１のプリンタにおいて、記録ヘッドをキャリッジから取り外した状態を示す斜視図である。
【図６】図１に示すプリンタにおいて、プラテンの構成および取付状態を示す要部分解斜視図である。
【図７】図１に示すプリンタにおいて、プラテンの取付状態を示す要部拡大斜視図である。
【図８】図１に示すプリンタにおいて、プラテンの取付状態を示す要部断面視図である。
【図９】図８の要部拡大図である。
【図１０】本発明を適用した第２実施形態に係るドットインパクトプリンタにおけるプラテン周辺の構成を示す要部断面視図である。
【図１１】本発明を適用した第３実施形態に係るドットインパクトプリンタにおけるプラテン周辺の構成を示す要部断面視図である。
【図１２】図１１の要部を拡大して示す図である。
【符号の説明】
【００５９】
１０…プリンタ（記録装置）、１１…プリンタ本体、１８…記録ヘッド、１８ａ…ヘッド先端面、１９…キャリッジ、２１…プラテン（平プラテン）、４０…付勢ばね、４１…プラテンギャップローラ、４２…ノーズ部、４３…放熱器、４４…記録ワイヤ、４６…ベースプレート、４７…サイドガイド、４７ａ…受け溝、４８…サイドガイド固定部、１００…シート、２１１…上ガイドピン（ガイド突起）、２１２…下ガイドピン（ガイド突起）、２１３…付勢ばね軸、２１４…位置決め突起。
【図１】
2006159685.tif 000003
【図２】
2006159685.tif 000004
【図３】
2006159685.tif 000005
【図４】
2006159685.tif 000006
【図５】
2006159685.tif 000007
【図６】
2006159685.tif 000008
【図７】
2006159685.tif 000009
【図８】
2006159685.tif 000010
【図９】
2006159685.tif 000011
【図１０】
2006159685.tif 000012
【図１１】
2006159685.tif 000013
【図１２】
2006159685.tif 000014